(57)【特許請求の範囲】
【請求項１】
停止された車両の位置補正を行う車両位置補正装置において、
前記車両の車輪を滑らせながら移動できるように支持する車輪支持手段と、
前記車輪支持手段によって支持された前記車両の車輪を、前記車輪の側方から押圧して前記車両の停止位置を補正する押圧機構と、を備え、
前記車両支持手段は、凹みと、前記凹みの底を構成する車輪載置部と、を備え、
前記車両の車輪は、凹みと遊びを持って係合した状態で前記車輪載置部に支持され、
前記車輪載置部は、摩擦力を低減させるコーティング剤によってコーティングされていることを特徴とする車両位置補正装置。
【請求項２】
前記押圧機構は、前記車両の側方から挟み込むように前記車両の車輪を押圧する一対の押圧部材を備えていることを特徴とする請求項１に記載の車両位置補正装置。
【請求項３】
前記押圧機構は、前記車両の側方における一方側から他方側へ向けて前記車両の車輪を押圧する押圧部材を備えたことを特徴とする請求項１に記載の車両位置補正装置。
【発明の詳細な説明】
【技術分野】
【０００１】
本発明は、車両搬送装置によって運ばれる車両の停止位置を、適切な停止位置に補正する車両位置補正装置に関する。
【背景技術】
【０００２】
車両搬送装置を備えた駐車場は、人間が運転を行って車両を所定の停止位置に停止させると、車両搬送装置がこの車両を駐車区画へ自動的に搬送するようになっている。この車両搬送装置は、例えば、特許文献１に示すように、駐車された車両の下に潜り込んで、リフトバーが車両の四つの車輪を持ち上げて搬送するようになっている。
【０００３】
このような車両搬送装置は、車両が所定の停止位置から外れて駐車されていると、リフトバーが車両の車輪を上手く持ち上げることができず上手く搬送できないおそれがあった。そこで、運転者には、所定の停止位置に車両を精度良く停止させることが要求されていた。ところが、この所定の停止位置に精度良く駐車することは、運転者に対してある程度の運転技術が要求され、運転に不得手の者が所定位置に停止させる場合、何度も切り返しが必要な場合があった。
【０００４】
これを解決するための手段として、別途、車両の位置補正装置を設け、車両が所定の停止位置から外れた位置に停止されたとしても、車両を適切な停止位置に補正することが考えられる。特許文献２に開示された車両の位置補正装置は、車両の車輪の位置を測定する撮像装置と、この撮像装置の測定結果に基づいて車輪の位置制御を行う位置制御装置と、を備えている。
【先行技術文献】
【特許文献】
【０００５】
【特許文献１】特開２０１３−１９２１０号公報
【特許文献２】特開２００４−１６９４５１号公報
【発明の概要】
【発明が解決しようとする課題】
【０００６】
しかしながら、特許文献２に示す撮像装置は、非常に高価でありこれを用いた位置補正装置のコストアップにつながっていた。そこで、本発明は、簡単な構成で車両位置を補正できる車両位置補正装置を提供することを目的とする。
【課題を解決するための手段】
【０００７】
本発明は、停止された車両の位置補正を行う車両位置補正装置において、
前記車両の車輪を滑らせながら移動できるように支持する車輪支持手段と、
前記車輪支持手段によって支持された前記車両の車輪を、前記車輪の側方から押圧して前記車両の停止位置を補正する押圧機構と、を備え、
前記車両支持手段は、凹みと、前記凹みの底を構成する車輪載置部と、を備え、
前記車両の車輪は、凹みと遊びを持って係合した状態で前記車輪載置部に支持され、
前記車輪載置部は、摩擦力を低減させるコーティング剤によってコーティングされていることを特徴としている。
【０００９】
前記押圧機構は、前記車両の側方から挟み込むように前記車両の車輪を押圧する一対の押圧部材を備えていることが好ましい。
【００１０】
前記押圧機構は、前記車両の側方における一方側から他方側へ向けて前記車両の車輪を押圧する押圧部材を備えていることが好ましい。
【発明の効果】
【００１１】
本発明の車両位置補正装置によれば、簡単な構成で車両の位置補正を行うことができる。
【図面の簡単な説明】
【００１２】
【図１】車両位置補正装置の平面図である。
【図２】図１をＩＩ−ＩＩから視た矢視図である。
【図３】図１をＩＩＩ−ＩＩＩから視た矢視図である。
【図４】車両支持手段の要部拡大図である。
【図５】（Ａ）は、運転者によって車両が停止位置に停止された様子を示す平面図である。（Ｂ）は、停止された車両が車両位置補正装置によって停止位置が補正された様子を示す平面図である。
【図６】（Ａ）は、車輪載置部の変形例を示す図である。（Ｂ）は、車輪載置部の他の変形例を示す図である。
【図７】（Ａ）は押圧機構の変形例を示す平面図である。（Ｂ）は、図７（Ａ）をＶＩＩＢ−ＶＩＩＢから視た矢視図である。
【図８】（Ａ）は図７の停止された車両が車両位置補正装置によって停止位置が補正された様子を示す平面図である。（Ｂ）は、図８（Ａ）をＶＩＩＩＢ−ＶＩＩＩＢから視た矢視図である。
【図９】凹みの変形例を示す平面図である。
【発明を実施するための形態】
【００１３】
以下、本発明を実施するための形態の例（以下、実施例と称する）を、図１〜図４を参照しながら説明する。図１は、車両位置補正装置１の平面図である。図２は、図１をＩＩ−ＩＩから視た矢視図である。図３は、図１をＩＩＩ−ＩＩＩから視た矢視図である。図４は、車両支持手段５の要部拡大図である。
【００１４】
車両位置補正装置１は、例えば、車両搬送装置を備えた駐車場に配置される。この駐車場は、人間が運転を行って車両２を所定の停止位置に停止させると、車両搬送装置が駐車区画まで自動的に搬送するようになっている。この車両搬送装置は、例えば、停止された車両２の下まで誘導用磁気テープによって導かれて潜り込み、その後、リフトバーが車両２の車輪３を持ち上げて所定の駐車区画まで搬送するようになっている。
【００１５】
車両位置補正装置１は、この車両搬送装置によって運ばれる前における車両２の停止位置を適切な停止位置となるように補正する。ここで、適切な停止位置とは、誘導用磁気テープによって車両２の下まで導かれてきた車両搬送装置がそのまま位置調整を行うことなく、車両２を持ち上げて搬送できるような位置に停止していることをいう。なお、図１〜図３中、点線で示した車両２は、適切な停止位置に停止された様子を示している。
【００１６】
車両位置補正装置１は、車両支持手段５と、押圧機構６と、を備えている。また、車両２の所定の停止位置の下には、空間Ｓが形成されている。
【００１７】
車両支持手段５は、凹み７と、この凹み７の底を構成する車輪載置部８と、を備えている。凹み７は、車両２が停止される所定の停止位置に、四つの車輪３に対応するように四つ形成されている。この凹み７は、停止された車両２の車輪３におけるおおよその位置決めを行う。このように凹み７が四つ形成されることで、四つの凹み７が囲む領域の内側まで誘導用磁気テープを設置することができる。
【００１８】
凹み７は、開口が矩形である。この凹み７の開口は、運転者がさほど注意を払わずに車両２を停止させたとしても、車輪３の一部がその内部に収まるように開口面積が大きく形成されている。ここで、開口面積が大きく形成されているとは、凹み７の開口面積が、車両２を地面に停止させた際における車輪３の地面との接触面積よりも大きく形成されていることをいい、例えば、接触面積の二倍以上の大きさに形成されていることをいう。
【００１９】
車輪載置部８は、例えば、車輪３の幅方向に四つ（複数）のローラが並べられて構成される。このローラは、外形が円柱である。また、このローラは、図４で示すように両端が軸受１１によって支持されることによって、回転可能に支持される。これによって、車輪載置部８は、車両２の車輪３を凹み７の内部で滑らせながら移動可能に支持する。
【００２０】
車両支持手段５は、以上に説明した凹み７と車輪載置部８を備えている。そして、この車両支持手段５は、凹み７と遊びを持って係合した車輪３を、車輪載置部８で滑らせながら移動できるように支持する。
【００２１】
押圧機構６は、ギヤードモータ１２と、動力伝達部材１３と、一対の押圧部材１４と、を備えている。ギヤードモータ１２は、モータ軸にピニオン１５が取り付けられており、このピニオン１５を正逆回転させることが可能である。このギヤードモータ１２は、空間Ｓの凹部１６に配置される。この際、このギヤードモータ１２は、モータ軸が鉛直方向に沿うように配置されている。
【００２２】
動力伝達部材１３は、ギヤードモータ１２の回転を直線運動に変換して一対の押圧部材１４へ動力を伝達する。そして、動力伝達部材１３は、水平部と垂直部を有したＬ字形の棒状部材である。この動力伝達部材１３は、ラック１７が水平部に沿うように形成されている。そして、この動力伝達部材１３は、水平部が空間Ｓの内部に、垂直部の一部がガイド溝１８を介して地面から突出するようにして配置される。
【００２３】
動力伝達部材１３は、先に述べたラック１７がギヤードモータ１２のピニオン１５と噛み合わされる。そして、動力伝達部材１３は、ピニオン１５の正逆回転によって停止された車両２の幅方向に沿った方向にガイド溝１８によって案内される。
【００２４】
一対の押圧部材１４は、動力伝達部材１３から動力が伝達されることによって、車両２の側方から車両２を挟み込むようにして車輪３を押圧する板状部材であり、動力伝達部材１３の垂直部の端部に取り付けられる。この一対の押圧部材１４は、停止された車両２の両側に位置するように支持される。
【００２５】
この一対の押圧部材１４は、車両２の側方に支持されると、車両２の前輪と後輪をカバーする。そして、この一対の押圧部材１４は、ピニオン１５の正逆回転によって、車両２の側方から近づいて当接したり、車両２の側方から離れたりする進退運動を行う。
【００２６】
また、この一対の押圧部材１４には、車両２の前輪と後輪に対応する位置に、板状の緩衝部材２０が取り付けられている。この緩衝部材２０は、例えば、弾性部材であるゴム材が用いられ、車両２の車輪３におけるホイール、車輪３、又は、ホイール及び車輪３と当接する。
【００２７】
図５（Ａ）、（Ｂ）を参照しながら、車両位置補正装置１によって車両２を適切な停止位置へ位置補正を行う様子を説明する。図５（Ａ）は、運転者によって車両２が停止位置に停止された様子を示す平面図である。図５（Ｂ）は、停止された車両２が車両位置補正装置１によって適切な停止位置へ補正された様子を示す平面図である。
【００２８】
運転者は、所定の停止位置まで運転して車両２を停止させる。このとき、運転者は、車両２の前輪及び後輪が車両支持手段５の凹み７の内部に収まるように運転する。この際、この凹み７は、運転者がさほど注意を払わずに車両２を移動させたとしても、車輪３が凹みの内部に収まるように開口が大きく形成されている。
【００２９】
停止された車両２は、例えば、図５（Ａ）で示すように停止される。運転者は、車両２から降車後、車両位置補正装置１を作動させる。この際、車両２は、複数のローラで構成された車輪載置部８に載せられているので容易に滑らせて移動（摺動）させることができる。
【００３０】
車両位置補正装置１は、作動されると車両２の側方から挟み込むようにして一対の押圧部材１４が車両２に接近し、一対の押圧部材１４の緩衝部材２０が車両２の車輪３に当接する。図５（Ａ）で示すように車両２が斜めに傾いて停止された場合、一対の押圧部材１４は、最初に左後輪と右前輪に当接し、そのまま車輪３を押圧することで車両２の姿勢を矯正し、最終的に四つの車輪３を全てに当接して適切な停止位置となるように補正する。その後、車両位置補正装置１は、一対の押圧部材１４が互いに車両２から離れて、停止位置の補正を終了する。
【００３１】
図６を参照しながら、車輪載置部８の変形例、及び、他の変形例を説明する。図６（Ａ）は、車輪載置部８の変形例を示す図である。図６（Ｂ）は、車輪載置部８の他の変形例を示す図である。なお、前述した実施例と同様の構成には、同一の符号を付し、上述した実施例の説明と重複する説明を省略する。
【００３２】
図６（Ａ）で示すとおり、他の変形例に係る車輪載置部２８は、凹み７が先の実施例と同様に形成され、車輪載置部２８が複数のフリーボールベアリングによって構成されている。この車輪載置部２８は、例えば、幅方向に四つ、長さ方向に六つ、計二十四個のローラベアリングで構成される。このフリーボールベアリングを構成するボールローラは、３６０度回転することができ、載置された車輪３を３６０度自在に滑らせて移動させることができる。
【００３３】
図６（Ｂ）で示すとおり、その他の変形例に係る車輪載置部３８は、凹み７が先の実施例と同様に形成され、車輪載置部３８がコーティングされた面で構成されている。このコーティングされた面は、例えば、ガラス・セラミックコーティング剤によってコーティングされ、摩擦力を低減させた状態で車輪３を支持する。
【００３４】
次に、図７及び図８を参照しながら、押圧機構６の変形例を説明する。図７（Ａ）は、押圧機構６の変形例を示す平面図である。図７（Ｂ）は、図７（Ａ）をＶＩＩＢ−ＶＩＩＢから視た矢視図である。そして、図８（Ａ）は、図７の停止された車両２が車両位置補正装置１によって停止位置が補正された様子を示す平面図である。図８（Ｂ）は、図８（Ａ）をＶＩＩＩＢ−ＶＩＩＩＢから視た矢視図である。なお、前述した実施例と同様の構成には、同一の符号を付し、上述した実施例の説明と重複する説明を省略する。
【００３５】
変形例に係る押圧機構６は、ギヤードモータ１２と、このギヤードモータ１２の回転を直線運動に変換して他の部材へ動力を伝達する動力伝達部材１３と、車両２の側方における一方側から他方側へ向けて車両２の車輪３を押圧する押圧部材２４と、ストッパ部材２５と、を備えている。
【００３６】
動力伝達部材１３は、ロッド状であり、その長手方向に沿ってラック１７が形成されている。この棒状部材の一端には、押圧部材２４が取り付けられている。ここで、この押圧部材２４は、図示を省略したガイド手段によって幅方向に移動可能に支持されている。そして、この動力伝達部材１３は、ラック１７がギヤードモータ１２のピニオン１５と噛み合わされ、ピニオン１５の正逆回転によって車両２の側方から車両２に近づいたり離れたりする進退運動を行う。
【００３７】
ストッパ部材２５は、直方体形状のストッパであり、車両２の側方における他方側に位置して車両２の他方側における右前輪と右後輪の位置を決定する。ここで、ストッパ部材２５の高さは、最低地上高よりも低い高さとなっている。
【００３８】
運転者によって停止された車両２は、例えば、図７（Ａ）、（Ｂ）で示すように停止される。運転者は、車両２から降車後、車両位置補正装置１を作動させる。車両位置補正装置１が作動されると、押圧部材２４が車両２の側方における一方側（右側）から他方側（左側）へ向けて動いて車両２に接近し、押圧部材２４の緩衝部材２０が車両２の車輪３に当接する。
【００３９】
図７（Ａ）、（Ｂ）で示すように車両２が斜めに傾いて停止された場合、押圧部材２４は、最初に左後輪に当接しそのままこの左後輪を押圧することで車両２の姿勢を矯正する。押圧部材２４は、その後、左前輪と左後輪を押圧し、右前輪と右後輪がストッパ部材２５に当接するまで、車両２をその幅方向に移動させる。これによって、車両２は、図８（Ａ）、（Ｂ）で示す適切な停止位置に補正される。
【００４０】
なお、本変形例に係る押圧機構６は、ストッパ部材２５によって、右前輪と右後輪の位置を決めていたが、これに限定されず、例えば、右前輪と右後輪と係合する凹み７の縁によって適切な停止位置の位置決めを行っても良い。また、ストッパ部材２５を用いる場合は、必ずしも凹み７が形成されている必要がなく、例えば、車輪載置部８が凹みのないコーティングされた面でも良い。
【００４１】
図９を参照しながら、凹み７の変形例を説明する。図９は、凹み７の変形例を示す平面図である。なお、前述した実施例と同様の構成には、同一の符号を付し、上述した実施例の説明と重複する説明を省略する。
【００４２】
変形例に係る凹み７は、一方の凹み７が左前輪と左後輪を収め、他方の凹み７が右前輪と右後輪を収める。この凹み７の内部に位置する車輪載置部８は、ローラ、ローラベヤリング、コーティングされた面のいずれでも良い。この変形例に係る凹みを備えた車両位置補正装置１によれば、運転者は、先ず前輪が凹み７の内部に落下することで停止位置が近いことを知り、次に後輪が凹み７の内部に落下することで前輪とともに凹み７の内部に収まったことを知る。最後に運転者は、前輪を図４で示すように凹み７の縁に当接させて停止させる。
【００４３】
以上に説明した停止された車両２の位置補正を行う車両位置補正装置１は、車両２の車輪３を滑らせながら移動できるように支持する車輪支持手段と、この車輪支持手段によって支持された車両２の車輪３を、車輪３の側方から押圧して車両２の停止位置を補正する押圧機構６と、を備えている。これによって、本発明は、撮像装置のような高価な部材を必要とせずに簡単な構成で停止された車両２の位置補正を行うことができる。また、車両位置補正装置１によれば、位置補正が行われるため、運転者の運転技術によらずに車両２を適切な停止位置に停止させることができる。
【００４４】
また、車両支持手段５は、停止された車両２の車輪３に対応するように形成された凹み７と、凹み７の内部で地面よりも低い位置に形成された車輪載置部８と、を備えている。そして、車両２の車輪３は、凹み７と遊びを持って係合した状態で車輪載置部８に支持されるようになっている。すなわち、凹み７の開口面積が車輪３と遊びができるほど大きくなっている。このため、運転者は、さほど注意を払わなくてもおおよその停止位置に車両２を停止させることができる。この際、運転者は、凹み７の内部で地面よりも低い車輪載置部８に車輪３が落下することで、車輪３が停止位置まで移動したことを認識することができる。
【００４５】
また、押圧機構６は、車両２の側方から挟み込むように車両２の車輪３を押圧する一対の押圧部材１４を備えている。両側から車両２の車輪３を押圧することで確実に車両２の姿勢を矯正して適切な停止位置へ補正することができる。
【００４６】
また、押圧機構６は、車両２の側方における一方側（左側）から他方側（右側）へ向けて車両２の車輪３を押圧する押圧部材２４を備えた構成でも良い。両側から車両２の車輪３を押圧する構成と比較して、押圧部材２４の数を一つ減らすことができ、より簡単な構成でコストダウンを図ることができる。
【００４７】
なお、本発明の車両位置補正装置は、上述の実施例に限定されず、本発明の要旨を逸脱しない範囲内において種々変更できる。また、本発明の車両位置補正装置は、明細書に記載された変形例の全ての組み合わせが可能である。
【００４８】
また、本発明の車両位置補正装置は、全ての車輪３を滑らせながら移動できるように車輪支持手段によって支持する構成で説明したがこれに限定されない。例えば、駆動される前輪のみ、又は後輪のみを車輪支持手段によって支持させるようにしても良い。
【００４９】
また、本発明の車両位置補正装置は、自動搬送装置を備えた駐車場を例に挙げて説明したが駐車場に限定されない。例えば、車両の製造ライン、車両の試験ライン、湾岸設備といった車両を機械によって搬送される場所に適用できる。
【符号の説明】
【００５０】
１  車両位置補正装置
２  車両
３  車輪
５  車両支持手段
６  押圧機構
７  凹み
８  車輪載置部
１４  一対の押圧部材
２４  押圧部材
２５  ストッパ部材
２８  車輪載置部
３８  車輪載置部
【図１】
0006371147.tif 000002
【図２】
0006371147.tif 000003
【図３】
0006371147.tif 000004
【図４】
0006371147.tif 000005
【図５】
0006371147.tif 000006
【図６】
0006371147.tif 000007
【図７】
0006371147.tif 000008
【図８】
0006371147.tif 000009
【図９】
0006371147.tif 000010